(57)【要約】      （修正有）【課題】製造が容易で安価な除細動器の訓練装置を提供する。【解決手段】除細動器を操作する訓練者を訓練するための訓練装置１である。この訓練装置は、除細動器の形状を模した形状を有するハウジング３と、ハウジングに取り付けられ、除細動器の予め設定された機能のサブセットをエミュレートするように構成された除細動機能エミュレーションデバイス５と、ハウジングに取り付けられた電極７とを備える。本発明の訓練用の除細動器は、実際の除細動器をシミュレートするが、機能および構成が限定されていることから、既存の訓練用の除細動器よりも遥かに安価であり、よってより広く流通させることができる。【選択図】図１
2019113845.tif 000002
【特許請求の範囲】
【請求項１】
除細動器を操作する訓練者を訓練するための訓練装置であって、
除細動器の形状を模した形状を有するハウジングと、
前記ハウジングに取り付けられ、除細動器の予め設定された機能のサブセットをエミュレートするように構成された除細動機能エミュレーションデバイスと、
前記ハウジングに取り付けられた電極とを備えることを特徴とする訓練装置。
【請求項２】
請求項１に記載の訓練装置において、
前記ハウジングが、ボール紙構造、プラスチック構造、ポリスチレン構造、発泡体構造、ポリマー発泡体構造のうちの何れかを含むことを特徴とする訓練装置。
【請求項３】
請求項１または２に記載の訓練装置において、
前記ハウジングが筒形状であることを特徴とする訓練装置。
【請求項４】
請求項３に記載の訓練装置において、
前記筒形状が、第１の実質的に楕円形の面、第２の実質的に楕円形の面およびそれらの間の壁、第１の実質的に円形の面、第２の実質的に円形の面およびそれらの間の壁、第１の実質的に正方形の面、第２の実質的に正方形の面およびそれらの間の壁、第１の実質的に矩形の面、第２の実質的に矩形の面およびそれらの間の壁、第１の実質的に多角形の面、第２の実質的に多角形の面およびそれらの間の壁のうちの何れかを含むことを特徴とする訓練装置。
【請求項５】
請求項１乃至４の何れか一項に記載の訓練装置において、
前記ハウジングが、除細動器を模した外観を有することを特徴とする訓練装置。
【請求項６】
請求項１乃至５の何れか一項に記載の訓練装置において、
前記ハウジングが、前記除細動機能エミュレーションデバイスを少なくとも部分的に受け入れて当該デバイスを前記ハウジングに取り付けるための少なくとも１の空間を提供することを特徴とする訓練装置。
【請求項７】
請求項３または４を引用する請求項６に記載の訓練装置において、
前記空間が筒形状のハウジングの一面に設けられていることを特徴とする訓練装置。
【請求項８】
請求項６または７に記載の訓練装置において、
前記空間が、前記除細動機能エミュレーションデバイスの周囲にフィットするようにサイズ設定されていることを特徴とする訓練装置。
【請求項９】
請求項６または７に記載の訓練装置において、
前記ハウジングが、異なるサイズの除細動機能エミュレーションデバイスを収容するために、記空間のサイズを変更するための１または複数のインサートを備えることを特徴とする訓練装置。
【請求項１０】
請求項６乃至９の何れか一項に記載の訓練装置において、
前記空間が、前記除細動機能エミュレーションデバイスを部分的に受け入れるための凹部を含むことを特徴とする訓練装置。
【請求項１１】
請求項６乃至９の何れか一項に記載の訓練装置において、
前記空間が、前記除細動機能エミュレーションデバイスを実質的に完全に受け入れるためのスロットを含むことを特徴とする訓練装置。
【請求項１２】
請求項１乃至１１の何れか一項に記載の訓練装置において、
前記ハウジングが、前記電極を少なくとも部分的に受け入れて前記電極を前記ハウジングに取り付けるための少なくとも１の空間を提供することを特徴とする訓練装置。
【請求項１３】
請求項３または４を引用する請求項１２に記載の訓練装置において、
前記空間が、筒形状のハウジングの壁に設けられていることを特徴とする訓練装置。
【請求項１４】
請求項１２または１３に記載の訓練装置において、
前記空間が、前記電極を部分的に受け入れるための凹部を含むことを特徴とする訓練装置。
【請求項１５】
請求項１２または１３に記載の訓練装置において、
前記空間が、前記電極を実質的に完全に受け入れるためのスロットを含むことを特徴とする訓練装置。
【請求項１６】
請求項１乃至１５の何れか一項に記載の訓練装置において、
前記ハウジングが、前記除細動機能エミュレーションデバイスおよび前記電極を覆う閉位置と、前記除細動機能エミュレーションデバイスおよび前記電極を露出させる開位置との間で移動可能な蓋を備えることを特徴とする訓練装置。
【請求項１７】
請求項１乃至１５の何れか一項に記載の訓練装置において、
前記ハウジングが、前記除細動機能エミュレーションデバイスを覆う閉位置と、前記除細動機能エミュレーションデバイスを露出させる開位置との間で移動可能な蓋を備えることを特徴とする訓練装置。
【請求項１８】
請求項１乃至１５の何れか一項に記載の訓練装置において、
前記ハウジングが、前記電極を覆う閉位置と、前記電極を露出させる開位置との間で移動可能な蓋を備えることを特徴とする訓練装置。
【請求項１９】
請求項１乃至１８の何れか一項に記載の訓練装置において、
前記電極が、エミュレーション除細動器の電極であることを特徴とする訓練装置。
【請求項２０】
請求項１乃至１８の何れか一項に記載の訓練装置において、
前記電極が、除細動器電極であることを特徴とする訓練装置。
【請求項２１】
請求項１乃至２０の何れか一項に記載の訓練装置において、
前記除細動機能エミュレーションデバイスが、除細動器起動機能、除細動器状態機能、除細動器ＥＣＧ測定機能、除細動器インピーダンス測定機能、除細動器心臓解析機能、除細動器心臓診断機能、除細動器治療機能、除細動器取扱説明機能の何れかを含む、除細動器の予め設定された機能のサブセットをエミュレートするように構成されていることを特徴とする訓練装置。
【請求項２２】
請求項１乃至２１の何れか一項に記載の訓練装置において、
前記除細動器エミュレーションデバイスが、訓練者に指示および情報を発するための表示画面およびスピーカを含むことを特徴とする訓練装置。
【請求項２３】
請求項１乃至２２の何れか一項に記載の訓練装置において、
前記除細動器エミュレーションデバイスが、スマートフォン、タブレットのうちの何れかであることを特徴とする訓練装置。
【発明の詳細な説明】
【技術分野】
【０００１】
本発明は、除細動器の訓練装置に関し、特に、製造が容易で安価な訓練装置に関する。
【背景技術】
【０００２】
除細動器は、益々多くの場所に設置されるようになってきたため、除細動器を使用する訓練が益々重要になってきている。しかしながら、一般的に使用される訓練用の除細動器は、除細動ショック生成のような一部の機能を使用不可能とした除細動器をベースとするものとなっている。そのような訓練用の除細動器は、除細動器のすべてまたは殆どの構成要素を含むことから、高価であり、その利用可能性が限定されている。
【発明の概要】
【０００３】
本発明の第１の態様によれば、除細動器を操作する訓練者を訓練するための訓練装置が提供され、当該訓練装置が、
除細動器の形状を模した形状を有するハウジングと、
ハウジングに取り付けられ、除細動器の予め設定された機能のサブセットをエミュレートするように構成された除細動機能エミュレーションデバイスと、
ハウジングに取り付けられた電極とを備える。
【０００４】
この訓練装置は、除細動器の予め設定された機能のサブセットのみをエミュレートし、除細動ショック生成などの一部の機能は提供されていない。したがって、この訓練装置は、除細動器の構成要素のすべてまたは殆どを含む必要はなく、よって比較的低コストとなる。
【０００５】
ハウジングは、ボール紙構造、プラスチック構造、ポリスチレン構造、発泡体構造、ポリマー発泡体構造のうちの何れかを含むことができる。ハウジングは、ボール紙またはプラスチックのような安価な材料で作られて、全体として３次元形状の除細動器を提供し、訓練装置のコストを低減することができる。
【０００６】
ハウジングは、筒形状を有することができる。筒形状は、第１の実質的に楕円形の面、第２の実質的に楕円形の面およびそれらの間の壁を含むことができる。筒形状は、第１の実質的に円形の面、第２の実質的に円形の面およびそれらの間の壁を含むことができる。筒形状は、第１の実質的に正方形の面、第２の実質的に正方形の面およびそれらの間の壁を含むことができる。筒形状は、第１の実質的に矩形の面、第２の実質的に矩形の面およびそれらの間の壁を含むことができる。筒形状は、第１の実質的に多角形の面、第２の実質的に多角形の面およびそれらの間の壁を含むことができる。ハウジングは、除細動器を模した外観を有することができる。これは、訓練装置の形状とともに、訓練者の経験の信頼性を高めるものとなる。
【０００７】
ハウジングは、除細動機能エミュレーションデバイスを少なくとも部分的に受け入れて当該デバイスをハウジングに取り付けるための少なくとも１の空間を提供することができる。空間は、筒形状のハウジングの一面に設けられるものであってもよい。空間は、除細動機能エミュレーションデバイスの周囲にフィットするようにサイズ設定することができる。ハウジングは、異なるサイズの除細動機能エミュレーションデバイスを収容するために、空間のサイズを変更するための１または複数のインサートを備えることができる。空間は、除細動機能エミュレーションデバイスを部分的に受け入れるための凹部を含むことができる。空間は、除細動機能エミュレーションデバイスを実質的に完全に受け入れるためのスロットを含むことができる。
【０００８】
ハウジングは、電極を少なくとも部分的に受け入れて電極をハウジングに取り付けるための少なくとも１の空間を提供することができる。空間は、筒形状のハウジングの壁に設けるようにしてもよい。空間は、筒形状のハウジングの一面に設けるようにしてもよい。空間は、電極を部分的に受け入れるための凹部を含むことができる。空間は、電極を実質的に完全に受け入れるためのスロットを含むことができる。電極を少なくとも部分的に受け入れる空間を提供することにより、実際の除細動器における電極の位置が模倣され、訓練者の経験の信頼性が高められる。
【０００９】
ハウジングは、閉位置と開位置との間で移動可能な少なくとも１の蓋を備えることができる。ハウジングは、除細動機能エミュレーションデバイスおよび電極を覆う閉位置と、除細動機能エミュレーションデバイスおよび電極を露出させる開位置との間で移動可能な蓋を備えるようにしてもよい。ハウジングは、除細動機能エミュレーションデバイスを覆う閉位置と、除細動機能エミュレーションデバイスを露出させる開位置との間で移動可能な蓋を備えるようにしてもよい。ハウジングは、電極を覆う閉位置と、電極を露出させる開位置との間で移動可能な蓋を備えるようにしてもよい。
【００１０】
電極は、エミュレート除細動器の電極であってもよい。電極は、除細動器電極であってもよい。
【００１１】
除細動機能エミュレーションデバイスは、除細動器起動機能、除細動器状態機能、除細動器ＥＣＧ測定機能、除細動器インピーダンス測定機能、除細動器心臓解析機能、除細動器心臓診断機能、除細動器治療機能、除細動器取扱説明機能の何れかを含む、除細動器の予め設定された機能のサブセットをエミュレートするように構成することができる。
【００１２】
除細動機能エミュレーションデバイスは、除細動器の予め設定された機能のサブセットをエミュレートするソフトウェアを実行することができる。除細動器エミュレーションデバイスは、訓練者に指示および情報を発するための表示画面を含むことができる。除細動器エミュレーションデバイスは、訓練者に指示および情報を発するためのスピーカを含むことができる。除細動機能エミュレーションデバイスは、訓練装置の使用の詳細を記憶するように構成されたメモリモジュールを備えることができる。除細動機能エミュレーションデバイスは、スマートフォン、タブレットのうちの何れかであってもよい。
【図面の簡単な説明】
【００１３】
【図１】図１は、本発明に係る訓練装置の概略図である。
【発明を実施するための形態】
【００１４】
本発明に係る訓練装置の概略図である添付図面を参照して、本発明の一実施形態をほんの一例として説明する。
【００１５】
図面を参照すると、訓練装置１は、ハウジング３と、ハウジングに取り付けられた除細動機能エミュレーションデバイス５と、ハウジングに取り付けられた除細動器電極７とを備える。この実施形態では、実際の除細動器電極が使用されるが、エミュレーション電極を使用することができることを理解されたい。
【００１６】
ハウジング３は、ボール紙構造を含み、第１の実質的に楕円形の面９と、第２の実質的に楕円形の面（図示省略）と、それらの間の壁１１とを含む除細動器の形状を模した筒形状を有する。使用時には、第１の面９はハウジング３の上面となり、第２の面はハウジング３の底面となる。
【００１７】
ハウジング３は、筒形状のハウジング３の第１の面９に設けられた第１のスロット１３を提供する。このスロットは、図示のように、除細動器エミュレーションデバイス５を実質的に完全に受け入れてハウジング３に取り付けるために、デバイス５の周りにフィットするようにサイズ設定されている。
【００１８】
ハウジング３は、筒形状のハウジング３の壁１１に設けられた第２のスロット１５を提供する。第２のスロット１５は、除細動器電極７をハウジング３に取り付けるために電極７を実質的に完全に受け入れる。
【００１９】
この実施形態では、除細動機能エミュレーションデバイス５が、スマートフォンを含む。なお、他の同様のデバイスを使用できることを理解されたい。除細動機能エミュレーションデバイス５は、除細動器の予め設定された機能のサブセットをエミュレートするように構成されている。除細動機能には、除細動器起動機能、除細動器状態機能、除細動器ＥＣＧ測定機能、除細動器インピーダンス測定機能、除細動器心臓解析機能、除細動器心臓診断機能、除細動器治療機能および除細動器取扱説明機能が含まれる。除細動機能エミュレーションデバイス５は、訓練装置１を使用する訓練者に指示および情報を発するための表示画面１７およびスピーカ１９を含む。
【００２０】
第１の使用シナリオでは、訓練者に、訓練装置１のハウジング３および除細動器電極７が与えられる。訓練者は、自身のスマートフォンをハウジング３の面９のスロット１３内に取り付け、アプリとしてスマートフォンに搭載された除細動機能エミュレーションソフトウェアを操作する。その後、スマートフォンは、除細動機能エミュレーションデバイスとして機能し、除細動器の機能をエミュレートし、訓練者に指示および情報を発する。訓練者は、訓練用の除細動器１のスロット１５から除細動器電極７を除去することを含めて、指示に従い、それにより除細動器の操作方法を身に付けることができる。
【００２１】
代替的な使用シナリオでは、訓練者に、訓練装置１のハウジング３、除細動機能エミュレーションデバイス５および除細動器電極７が与えられる。訓練者は、除細動機能エミュレーションデバイス５を作動させ、当該デバイスにより与えられる指示に従い、それにより除細動器の操作方法を身に付けることができる。
【００２２】
本発明の訓練装置は、実際の除細動器をシミュレートするが、既存の訓練用の除細動器よりも遥かに安価であり、よってより広く流通させることができる。
【図１】
2019113845.tif 000003
【外国語明細書】
2019113845000001.pdf